(57)【要約】【課題】ケーブルダクト機能に加え、ケーブルの端部に備えられたコネクタの接続機能をも有しており、ケーブル配設作業の簡素化、キャビネットの小型化等を実現可能な線路器具を提供する。【解決手段】本体２に対して着脱自在なカバー３の底面に、コネクタを接続可能なコネクタ接続部７を設けた。したがって、部材の設置スペースや設置作業の点において合理的な構成とすることができ、ケーブルダクトと線路器具とを別途設置しなければならない従来と比較して、部材の設置作業の簡略化、ひいてはケーブルの配設作業の簡略化を図ることができるし、キャビネット内における部材設置スペースの省スペース化、ひいてはキャビネットの小型化を図ることができる。【選択図】図１
2008168071.tif 000002
【特許請求の範囲】
【請求項１】
複数の支持片が突設され、該支持片間をケーブルの通線部とした本体と、前記支持片の先端に着脱自在なカバーとからなる線路器具であって、
前記カバーに、コネクタを接続可能なコネクタ接続部を設けたことを特徴とする線路器具。
【請求項２】
カバーを、支持片の基端面に取り付け可能とし、前記カバーのコネクタ接続部に接続状態にあるケーブルを前記支持片間の通線部にて整線可能としたことを特徴とする請求項１に記載の線路器具。
【発明の詳細な説明】
【技術分野】
【０００１】
本発明は、キャビネット内等において引き回されるケーブルを収納するケーブルダクト機能を有する線路器具に関するものである。
【背景技術】
【０００２】
従来、キャビネット内等に設置され、配線ケーブルの余長部分を収納するためのケーブルダクトとしては、特許文献１に開示されているようなものが知られている。該従来のケーブルダクト５１について、図５をもとに説明する。図５は、従来のケーブルダクト５１を示した斜視説明図である。
ケーブルダクト５１は、基板５２及び所定の間隔毎に該基板５２から突設された支持片５３、５３・・を備えた本体５１ａと、該本体５１ａに対して、支持片５３、５３・・の先端を覆うように取り付けられるカバー５４とからなる。そして、図示しないキャビネット内等において引き回されるケーブルを支持片５３、５３・・内に収納したり、収納されているケーブルを支持片５３、５３間の間隙５５、５５・・等から引き出したりして使用される。また、支持片５３、５３・・の先端部にカバー５４を取り付けることにより、支持片５３、５３・・内に収納されているケーブルを該収納状態で保持可能となっている。
【０００３】
【特許文献１】特開２００２−１５９１１５号公報
【発明の開示】
【発明が解決しようとする課題】
【０００４】
キャビネット内においては、引き回したケーブルの端部に設けられているコネクタをアダプタを有する線路器具へ接続しなければならない場合がある。しかしながら、従来のケーブルダクト５１は、ケーブルの収納機能（すなわち、ケーブルダクト機能）しか備えていないため、コネクタ接続専用の接続パネルや線路器具を別途設置しなければならなかった。したがって、該接続パネルや線路器具を設置する作業が必要となることによるケーブル配設作業の煩雑化、接続パネルの設置スペースに起因したキャビネットの大型化といった問題が生じてしまう。
【０００５】
そこで、本発明は上記問題を解決すべくなされたものであって、ケーブルダクト機能に加え、ケーブルの端部に備えられたコネクタの接続機能をも有しており、ケーブル配設作業の簡素化、キャビネットの小型化等を実現可能な線路器具を提供しようとするものである。
【課題を解決するための手段】
【０００６】
上記目的を達成するために、本発明のうち請求項１に記載の発明は、複数の支持片が突設され、該支持片間をケーブルの通線部とした本体と、前記支持片の先端に着脱自在なカバーとからなる線路器具であって、前記カバーに、コネクタを接続可能なコネクタ接続部を設けたことを特徴とする。
請求項２に記載の発明は、請求項１に記載の発明において、カバーを、支持片の基端面に取り付け可能とし、前記カバーのコネクタ接続部に接続状態にあるケーブルを前記支持片間の通線部にて整線可能としたことを特徴とする。
【発明の効果】
【０００７】
本発明によれば、カバーに、コネクタを接続可能なコネクタ接続部を設けているため、部材の設置スペースや設置作業の点において合理的な構成となっており、線路器具とケーブルダクトとを別途設置しなければならない従来と比較して、部材の設置作業の簡略化、ひいてはケーブルの配設作業の簡略化を図ることができるし、キャビネット内における部材設置スペースの省スペース化、ひいてはキャビネットの小型化を図ることができる。さらに、コネクタ接続部が設けられていないカバーと取り替えることで、ケーブルダクトとしてのみの使用も可能であり、使い勝手が良い。
また、請求項２に記載の発明によれば、カバーを、支持片の基端面に取り付け可能とし、カバーのコネクタ接続部に接続状態にあるケーブルを支持片間の通線部にて整線可能としている。したがって、線路器具とケーブルダクトとを別途設置していた従来と比較してキャビネット内におけるケーブルの配設作業が極めて容易となる。また、線路器具の設置箇所等に応じて、カバーの本体への取り付け位置を容易に変更する（支持片の先端部又は支持片の基端面）ことができ、汎用性を向上することができる。
【発明を実施するための最良の形態】
【０００８】
以下、本発明の一実施形態となる線路器具について、図面をもとに説明する。尚、本実施形態においては、線路器具の一実施例である光線路器具について説明する。
図１は、光線路器具１を示した説明図であり、（ａ）は正面側、（ｂ）は底面側、（ｃ）は右側面側から夫々示している。
【０００９】
光線路器具１は、本体２と該本体２に対して着脱可能なカバー３とからなるものであって、本体２は、図示しない光ケーブルを収容可能な基板２ａ、及び該基板２ａの底面部から一体的に下方へ突設され、光ケーブルを整線する複数の支持片４、４・・を備えている。基板２ａは、板状部材を折り曲げて成形されたものであって、その底面には、図示しない複数のケーブル導出孔が開設されており、基板２ａ側に収納されている光ケーブルを支持片４、４・・側へ引き出し可能となっている。また、支持片４、４・・は、基板２ａの底面の前縁及び後縁にその左右方向（長手方向）へ所定の間隔毎に突設されており、支持片４、４間（左右方向への間隙）が、光ケーブルを引き出す等して整線するための通線部５となっている。さらに、各支持片４の先端部内面側（下端部対向側）には、上下方向へ若干の隙間を有して一対のフランジを突設してなるレール部６が設けられており、該レール部６により支持片４、４・・の先端部に後述の如きカバー３を取り付け可能としている。
【００１０】
次に、本発明の要部であるカバー３について、図２をもとに説明する。図２は、カバー３を示した説明図であり、（ａ）は正面側、（ｂ）は底面側、（ｃ）は右側面側から夫々示している。
カバー３は、薄板状のカバー体３ａの底面に、光ケーブルのコネクタを接続可能なコネクタ接続部７を備えてなるもので、該コネクタ接続部７を下方へ向けた状態で、左右どちらかの端の支持片４、４のレール部６、６に支持させ、左右方向へスライドさせることにより支持片４、４・・の先端部に取り付けることができる。
【００１１】
上述したように、光線路器具１では、本体２へ着脱自在なカバー３にコネクタ接続部７を設ける合理的な構成となっているため、線路器具とケーブルダクトとを別途設置しなければならない従来と比較して、部材の設置作業の簡略化、ひいては光ケーブルの配設作業の簡略化を図ることができる。また、キャビネット内における部材設置スペースの省スペース化、ひいてはキャビネットの小型化を図ることができる。
さらに、図４に示す如く、コネクタ接続部７の設けられていないカバー３ａを支持片４、４・・の先端部に取り付けることにより、ケーブルダクトとして用いることもできるため、設置場所や用途に応じて使い分けが可能であり、使い勝手が良い。
【００１２】
なお、本発明の線路器具に係る構成は、上記実施形態に記載の態様に何ら限定されるものではなく、本体、及びカバーに係る構成を、本発明の趣旨を逸脱しない範囲で、必要に応じて適宜変更することができる。
【００１３】
たとえば、基板２ａの底面及びカバー３にネジ孔（図示せず）等を設け、図３に示す如く、カバー３を基板２ａの底面（支持片４、４・・の基端面）にネジ８、８・・等により直接取り付け可能に構成することも可能である。該構成を採用することにより、コネクタ接続部７へ接続した光ケーブルの整線を支持片４、４・・にて行うことができ、ケーブルダクトと線路器具とを別途設置していた従来と比較してキャビネット内における光ケーブルの配設作業が極めて容易となる。また、光線路器具１の設置箇所等に応じて、カバー３の本体２への取り付け位置を容易に変更する（支持片４、４・・の先端部又は基板２ａの底面）ことができ、汎用性の高い光線路器具１とすることができる。
【００１４】
また、支持片の先端部へのカバーの取り付けに係る構成も上記実施形態に記載の構成に何ら限定されることはなく、各支持片の先端部に、係止爪や係止段部、係止凹部等といった係止部を設け、該係止部にカバーを係止させることによりカバーを取り付け可能とするようにしてもよい。
さらに、カバーに設けるコネクタ接続部の形状、種類等といった構成も光コネクタ接続用に何ら限定されることはなく、接続するコネクタの種類に応じて変更可能である（たとえば電気用コネクタを接続可能なコネクタ接続部を設けてもよい）。
【図面の簡単な説明】
【００１５】
【図１】光線路器具を示した説明図であり、（ａ）は正面側、（ｂ）は底面側、（ｃ）は右側面側から夫々示している。
【図２】カバーを示した説明図であり、（ａ）は正面側、（ｂ）は底面側、（ｃ）は右側面側から夫々示している。
【図３】基板の底面にカバーを取り付けた状態の光線路器具を示した説明図であり、（ａ）は正面側、（ｂ）は底面側、（ｃ）は右側面側から夫々示している。
【図４】光線路器具を、ケーブルダクトとして使用する状態を示した説明図であり、（ａ）は正面側、（ｂ）は底面側、（ｃ）は右側面側から夫々示している。
【図５】従来のケーブルダクトを示した斜視説明図である。
【符号の説明】
【００１６】
１・・光線路器具、２・・本体、２ａ・・基板、３、３ａ・・カバー、４・・支持片、５・・通線部、６・・レール部、７・・コネクタ接続部、８・・ネジ。
【図１】
2008168071.tif 000003
【図２】
2008168071.tif 000004
【図３】
2008168071.tif 000005
【図４】
2008168071.tif 000006
【図５】
2008168071.tif 000007